(57)【特許請求の範囲】
【請求項１】
被写体像を光電変換して電子的な画像データを得るための撮像手段と、前記撮像手段により得られた画像データに基づく画像を表示するための画像表示手段と、前記撮像手段により得られた画像データを記録媒体に記録するための記録手段と、撮影を行うための撮影モードと前記記録媒体に記録された画像データを再生するための再生モードとを有し、このモードに応じて前記各手段を制御するための制御手段と、を備え、前記制御手段は、前記撮影モードにおいて、撮影後の所定時間にフォーカスエリアを含む位置に設定された前記画像データに基づく画像の一部領域を前記画像表示手段の表示画面全体に表示するように制御する電子カメラにおいて、
前記記録媒体はカードスロットに装着される外部メモリである着脱可能な着脱メモリであり、
前記記録媒体に記録された画像データを消去するための消去手段と、
前記記録媒体への画像データの記録中止又は前記記録媒体に記録された画像データの消去をするよう操作を行うための操作手段と、を更に備え、
前記制御手段は、前記撮影モードによる拡大表示中において、前記記録媒体への画像データ記録中に前記操作手段の操作が行われたときには、前記記録媒体へのデータの記録を中止するよう前記記録手段を制御し、前記記録媒体への画像データ記録完了後に前記操作手段の操作が行われたときには、前記記録媒体に記録された画像データを消去するよう前記消去手段を制御することを特徴とする電子カメラ。
【請求項２】
被写体像を光電変換して電子的な画像データを得るための撮像手段と、前記撮像手段により得られた画像データに基づく画像を表示するための画像表示手段と、前記撮像手段により得られた画像データを記録媒体に記録するための記録手段と、撮影を行うための撮影モードと前記記録媒体に記録された画像データを再生するための再生モードとを有し、このモードに応じて前記各手段を制御するための制御手段と、前記画像表示手段に表示された画像の一部領域を表示画面全体に拡大表示するように操作を行うための拡大操作手段と、を備え、前記制御手段は、前記撮影モードにおいて、撮影後に前記画像データに基づく画像を前記画像表示手段に所定時間表示するように制御し、この所定時間内に前記拡大表示手段の操作が行われたときは、フォーカスエリアを含む位置に設定された前記画像の一部領域を前記画像表示手段の表示画面全体に表示するように制御する電子カメラにおいて、
前記記録媒体はカードスロットに装着される外部メモリである着脱可能な着脱メモリであり、
前記記録媒体に記録された画像データを消去するための消去手段と、
前記記録媒体への画像データの記録中止又は前記記録媒体に記録された画像データの消去をするよう操作を行うための操作手段と、を更に備え、
前記制御手段は、前記撮影モードによる拡大表示中において、前記記録媒体への画像データ記録中に前記操作手段の操作が行われたときには、前記記録媒体へのデータの記録を中止するよう前記記録手段を制御し、前記記録媒体への画像データ記録完了後に前記操作手段の操作が行われたときには、前記記録媒体に記録された画像データを消去するよう前記消去手段を制御することを特徴とする電子カメラ。
【発明の詳細な説明】
【０００１】
【発明の属する技術分野】
本発明は、電子カメラの、特にレックビュー表示に関する。。
【０００２】
【従来の技術】
電子カメラにおいて、少ない画素数の電子ビューファインダを用いてもピント調整を容易にできるようにしたものが提案されている（特開平５−２４４４７１号公報）。この電子カメラでは、表示画像の一部を指定して指定部分を拡大表示することによりピント調整を容易にしようとするものである。しかし、この方法では、撮影前に拡大表示画像を見ながら焦点位置を調整する必要があるので、操作が煩雑となり、シャッターチャンスを逃すおそれがある。
【０００３】
また、他の電子カメラにおいては、通常処理を行う第１の映像処理回路と、ズーム処理を行う第２の映像処理回路とを設け、合焦位置に応じていずれかの映像処理回路の出力を液晶表示装置に表示させている（特開平１１−５５５６０号公報）。この電子カメラにおいても、撮影前に拡大表示画像を見ながらピントの確認そして調整をするように構成されているので、シャッターチャンスを逃すおそれがある。
【０００４】
【発明が解決しようとする課題】
上記のように従来の電子カメラにおいては、撮影前にその焦点を合わせるために、煩雑な操作を必要としたり、拡大表示にして合焦状態の確認等の作業が必要となり、シャッターチャンスを逃すおそれがある。
【０００５】
本発明は、上記の事情を考慮してなされたものであって、撮影画像の確認、特に焦点があっているかの確認が容易にできる電子カメラを提供することを目的とする。
【０００６】
【課題を解決するための手段】
本発明は、上記の課題を解決するために次のような手段を講じた。
【０００７】
本発明の骨子は、レックビュー表示期間内に所定部分（特に、フォーカスエリア）を拡大表示するなどして、少ない画素数の電子ビューファインダを用いた場合であっても、撮影後の画像が所望の画像として撮像されているか容易に確認できるようにしている。具体的には、以下の通りである。
【０００８】
本発明の電子カメラは、被写体像を光電変換して電子的な画像データを得るための撮像手段と、前記撮像手段により得られた画像データに基づく画像を表示するための画像表示手段と、前記撮像手段により得られた画像データを記録媒体に記録するための記録手段と、撮影を行うための撮影モードと前記記録媒体に記録された画像データを再生するための再生モードとを有し、このモードに応じて前記各手段を制御するための制御手段と、を備え、前記制御手段は、前記撮影モードにおいて、撮影後の所定時間にフォーカスエリアを含む位置に設定された前記画像データに基づく画像の一部領域を前記画像表示手段の表示画面全体に表示するように制御する電子カメラにおいて、前記記録媒体はカードスロットに装着される外部メモリである着脱可能な着脱メモリであり、前記記録媒体に記録された画像データを消去するための消去手段と、前記記録媒体への画像データの記録中止又は前記記録媒体に記録された画像データの消去をするよう操作を行うための操作手段と、を更に備え、前記制御手段は、前記撮影モードによる拡大表示中において、前記記録媒体への画像データ記録中に前記操作手段の操作が行われたときには、前記記録媒体へのデータの記録を中止するよう前記記録手段を制御し、前記記録媒体への画像データ記録完了後に前記操作手段の操作が行われたときには、前記記録媒体に記録された画像データを消去するよう前記消去手段を制御することを特徴とする。
【０００９】
本発明の他の電子カメラは、被写体像を光電変換して電子的な画像データを得るための撮像手段と、前記撮像手段により得られた画像データに基づく画像を表示するための画像表示手段と、前記撮像手段により得られた画像データを記録媒体に記録するための記録手段と、撮影を行うための撮影モードと前記記録媒体に記録された画像データを再生するための再生モードとを有し、このモードに応じて前記各手段を制御するための制御手段と、前記画像表示手段に表示された画像の一部領域を表示画面全体に拡大表示するように操作を行うための拡大操作手段と、を備え、前記制御手段は、前記撮影モードにおいて、撮影後に前記画像データに基づく画像を前記画像表示手段に所定時間表示するように制御し、この所定時間内に前記拡大表示手段の操作が行われたときは、フォーカスエリアを含む位置に設定された前記画像の一部領域を前記画像表示手段の表示画面全体に表示するように制御する電子カメラにおいて、前記記録媒体はカードスロットに装着される外部メモリである着脱可能な着脱メモリであり、前記記録媒体に記録された画像データを消去するための消去手段と、前記記録媒体への画像データの記録中止又は前記記録媒体に記録された画像データの消去をするよう操作を行うための操作手段と、を更に備え、前記制御手段は、前記撮影モードによる拡大表示中において、前記記録媒体への画像データ記録中に前記操作手段の操作が行われたときには、前記記録媒体へのデータの記録を中止するよう前記記録手段を制御し、前記記録媒体への画像データ記録完了後に前記操作手段の操作が行われたときには、前記記録媒体に記録された画像データを消去するよう前記消去手段を制御することを特徴とする。
【００１４】
【発明の実施の形態】
図面を参照して本発明の実施の形態を説明する。まず、図１を参照して本発明に係る電子カメラの概略構成を説明する。
【００１５】
レンズ部１１を通過した被写体の画像は、撮像素子１２で電気信号に変換される。撮像素子１２で変換された電気信号は、撮像回路１３で撮影処理が施されたアナログ画像信号に変換された後に、Ａ／Ｄ変換器１４によってデジタル画像信号に変換される。そして、このデジタル画像信号は、所定の処理を経て、例えば、カードスロット２０に装着される外部メモリである着脱可能な着脱メモリ２１（例えば、コンパクトフラッシュメモリ、スマートメディア等）にインターフェース（Ｉ／Ｆ）２２を介して記録される。また、電子カメラは、高速な内蔵メモリ３０（例えば、ランダムアクセスメモリ（以下、「ＤＲＡＭ」とも称する）等）を有しており、画像の圧縮伸長における作業用メモリとして、或いは一時的な画像記憶手段としての高速バッファとして使用される。
【００１６】
また、電子カメラには、通常画像表示ＬＣＤ５０（液晶表示装置）が搭載されており、この画像表示ＬＣＤ５０は、着脱メモリ２１に記録された画像の確認や、撮影しようとする画像を表示する。表示するための画像は、一旦画像表示用メモリ（ＶＲＡＭ）５１に取り込まれ、ビデオ変換回路５２によってビデオ信号に変換されて画像表示ＬＣＤ５０に送られて画像表示ＬＣＤ５０上に画像が表示される。また、ビデオ変換回路５２からのビデオ信号は映像出力端子５３にも出力され、映像出力端子５３に接続された図示しない表示機器（例えば外部モニタ）に画像を出力することができるようになっている。
【００１７】
外部インターフェース（Ｉ／Ｆ）６０は、図示しない外部機器とのデータの送受信を行うもので、外部入出力端子６１を介して外部機器と接続される。
【００１８】
電源部６５は、電子カメラの電源であり、シスコン７０によって制御される。また、外部電源端子６６によって外部電源に接続されて、例えば、電池６７の充電などを行う。
【００１９】
シスコン７０は、電子カメラの各機器の全体の制御を行うもので、画像処理回路７１と圧縮伸長回路７２を有している。画像処理回路７１は、詳細は後述する撮像画像の画像処理を行う。圧縮伸長回路７２は、デジタル画像信号の圧縮を行ったり、圧縮された画像信号を展開（伸長）するためのものである。
【００２０】
また、シスコン７０は、操作部８０のレリーズ８１からの入力を受け付けて、撮像を行ったり、モード選択スイッチ８５からの入力により、撮影モードや再生モード等のモードを選択したりする。この選択された撮影モードはモード表示ＬＣＤ７４に表示される。また、シスコン７０は、被写体の撮像時における光量が不足している場合には、ストロボ７３をオンにして撮影するように制御する。操作部８０は、その他に、本発明の構成に必要な詳細は後述する消去／中止スイッチ８２、拡大スイッチ８３、移動スイッチ８４及びレックビュー切り替えスイッチ８６を備えている。
【００２１】
図２は、通常の撮影モードにおける処理を示したものである。また、図３は、再生モードにおける処理を示したものである。
【００２２】
まず、モード選択スイッチ８５によって撮影モードが選択されると撮影モードになる。図２において、レリーズ８１をオンにすると（ステップＡ１）、撮像処理が行われ（ステップＡ２）、電子画像信号がＤＲＡＭ３０に格納される（ステップＡ３）。ここで、レックビュー切り替えスイッチ８６によって、レックビュー機能がオンにされている場合には（ステップＡ４）、記録の開始と共に（ステップＡ５）、レックビュー表示が一定時間なされて（ステップＡ７）、次の撮影を待つ（ステップＡ１）。レックビュー機能がオフの場合には（ステップＡ４）、着脱メモリ２１へ画像が記録された（ステップＡ６）後に、次の撮影を待つ（ステップＡ１）。
【００２３】
次に、モード選択スイッチ８５によって再生モードが選択されると再生モードになる。図３において、まず、着脱メモリ２１から画像データが読み出され（ステップＢ１）、ＤＲＡＭ３０に一旦画像データが記憶される（ステップＢ２）。そして、圧縮伸長回路７２で画像データを伸長し（ステップＢ３）、画像を画像表示ＬＣＤ５０に表示するために画像処理回路７１で間引き処理をしてその結果をＶＲＡＭに記憶し（ステップＢ４、ステップＢ５）、ビデオ変換回路５２でビデオ処理をした後に（ステップＢ６）、ＬＣＤ画像が表示される（ステップＢ７）。そして、他の画像を表示するかどうかを入力して（ステップＢ８）、そのまま画像表示を継続するか（ステップＢ７）、新たに着脱メモリ２１から他の画像データを読み出す（ステップＢ１）。
【００２４】
ここまでは、従来の動作である。本発明は上記の撮影モードにおけるレックビュー表示の時に、一部領域を自動的に或いはユーザの操作により画像表示ＬＣＤ５０の画面全体に表示させるようにしている。以下、図４及び図５を参照して、本発明に係る動作を説明する。なお、レックビュー表示以外の動作については、上記と同様であるので、説明を省略する。
【００２５】
図２のレックビュー処理（ステップＡ７）において、レックビュー表示された画像の一部分を自動的に画面全体に表示する場合の動作例を図４に、レックビュー表示された画像の一部分をユーザが手動で画面全体に表示する場合の動作例を図５に示す。なお、以下の説明において、「拡大表示（或いは拡大処理）」という表現を使用するが、レックビュー表示されている画像の一部分をそのまま拡大して表示（或いは拡大処理）することは勿論、レックビュー表示されている画像の元の画像は表示画像よりも高い分解能で記録されているのが通常であるので、レックビュー表示されている画像の一部分に相当する画像データを例えばＤＲＡＭ３０から読み出して画像表示ＬＣＤ５０の画面全体に表示させるように画像処理を行い画像表示ＬＣＤ５０に画像を表示させることも含むものとする。
【００２６】
図４において、まず、レックビュー表示において、撮影された画像の一部分を拡大処理して（ステップＣ１）ＶＲＡＭ５１に格納する（ステップＣ２）。そして、画像表示ＬＣＤ５０に画像を表示させるために画像データをビデオ変換回路５２でビデオ信号に変換して（ステップＣ３）、画像の一部分が拡大処理された拡大表示が行われる（ステップＣ４）。そして、所定時間拡大表示を行った後に表示が終了する（ステップＣ５）。
【００２７】
上記のように、図４では、全ての撮影画像に対して自動的に拡大処理を行うようにしたが、全ての画像を拡大してみる必要がない場合には、全体表示をさせて、所望の画像のみについて拡大表示させるようにしても良い。図５にその場合の動作を示す。
【００２８】
図５において、まず、レックビュー表示において、通常はＤＲＡＭ３０に格納された画像データは画像表示ＬＣＤ５０よりも解像度が高いので、画像表示ＬＣＤ５０で表示可能なように画像データを画像処理回路７１で間引き処理を行う（ステップＤ１）。間引き処理後の画像データをＶＲＡＭ５１に格納して（ステップＤ２）、画像表示ＬＣＤ５０に画像を表示させるために画像データをビデオ変換回路５２でビデオ信号に変換して（ステップＤ３）、全体の撮影画像表示が行われる（ステップＤ４）。また、このビデオ変換回路５２は、全体画像に対し、図６（ａ）に示すような拡大枠（拡大領域）を重畳している。そして、所定時間全体表示を行い、この所定の時間内にユーザからの操作が何もなければそのまま終了する（ステップＤ５）。
【００２９】
所定の時間内において、ユーザから拡大スイッチ８３による拡大表示の指示ないし移動スイッチ８４による拡大領域の移動指示があった場合には（ステップＤ６）、表示された画像の一部分（拡大領域）を拡大処理して（ステップＤ７）ＶＲＡＭ５１に格納する（ステップＤ８）。そして、画像表示ＬＣＤ５０に画像を表示させるために画像データをビデオ変換回路５２でビデオ信号に変換して（ステップＤ９）、画像の一部分が拡大処理された拡大表示が行われる（ステップＤ１０）。そして、所定時間拡大表示を行った後に表示が終了する（ステップＤ１１）。
【００３０】
図６は、上記の拡大処理によって、一部領域（拡大領域）を拡大した場合の例を示す図である。この拡大領域は、表示領域に対して中心部分に設定されており、撮影画角内に設定されるフォーカスエリアを含む位置に設定されている。なお、フォーカスエリアは説明の便宜上付したもので、レックビュー表示中は表示されない。図６（ａ）に示すように、拡大枠が表示された全体表示の時に拡大スイッチ８３が操作されると拡大領域が拡大されて、図６（ｂ）に示すように拡大領域が画面全体に表示され、画像が正常に記録されたかどうかが容易に確認できる。
【００３１】
また、図７は、拡大領域を表示画像の中心以外の場所に移動した場合の例を示す図であって、主要画像が中心以外にもある場合に重要である。図７（ａ）は、移動スイッチ８４によって拡大枠（領域）を移動させた状態を示し、図７（ｂ）は図７（ａ）に示す状態の時に、拡大スイッチ８３が操作されることにより、拡大領域が画面全体に表示された状態を示している。なお、上述した実施形態では、全体表示において、拡大枠を移動させて所望のエリアを指定していたが、拡大表示した状態で、移動スイッチ８４により画面全体が移動できるように構成しても良い。
【００３２】
図８は、レックビュー表示中に確認した画像が正常でない或いは所望のものではない場合における消去処理を示す図である。レックビュー表示中において、拡大処理によって確認した画像が所望のものでない場合には、消去／中止スイッチ８２をオンにすることによって、画像データの記録を中止したり、記録済みの画像データを消去することができる。
【００３３】
まず、レックビュー表示中ににおいて、拡大処理によって確認した画像が所望のものでない場合には、消去／中止スイッチ８２をオンにすると（ステップＥ１）、シスコン７０は、着脱メモリ２１への記録が完了しているかどうかを判断する（ステップＥ２）。ここで、記録が完了しているのであれば、着脱メモリ２１に記録されたデータを削除し（ステップＥ３）、記録が完了していないのであれば着脱メモリ２１への記録を中止する（ステップＥ４）。このようにすることによって、不要な画像或いはピントがあっていないような正常でない画像が着脱メモリへ記録されることを防ぐことができる。
【００３４】
本発明は、上記の発明の実施の形態に限定されるものではなく、本発明の要旨を変更しない範囲で種々変形して実施できるのは勿論である。
【００３５】
【発明の効果】
本発明によれば次のような効果が得られる。
【００３６】
上記のように、本発明によれば、撮影直後のレックビュー表示時において、自動的或いは手動で所望領域の拡大表示ができるようにしたので、撮影が良好に行われたかどうかの確認が容易にできる。
【００３７】
また、拡大画像を確認した後にその場で不要な画像或いはピントがあっていないような画像が着脱メモリへ記録されることを防ぐことができる。
【図面の簡単な説明】
【図１】本発明に係る電子的カメラの概略構成を示す図。
【図２】通常の撮影モードにおける処理を示すフローチャート。
【図３】再生モードにおける処理を示すフローチャート。
【図４】レックビュー表示された画像の一部分を自動的に画面全体に表示する場合の動作例を示すフローチャート。
【図５】レックビュー表示された画像の一部分をユーザが手動で画面全体に表示する場合の動作例を示すフローチャート。
【図６】拡大処理によって、一部領域（拡大領域）を拡大した場合の例を示す図。
【図７】拡大領域を表示画像の中心以外の場所に移動した場合の例を示す図。
【図８】レックビュー表示中に確認した画像が正常でない或いは所望のものではない場合における消去処理を示す図。
【符号の説明】
１１…レンズ部、
１２…撮像素子、
１３…撮像回路、
１４…Ａ／Ｄ変換器、
２０…カードスロット、
２１…着脱メモリ、
２２…インターフェース（Ｉ／Ｆ）、
３０…内蔵メモリ、
５０…画像表示ＬＣＤ、
５１…画像表示用メモリ（ＶＲＡＭ）、
５２…ビデオ変換回路、
５３…映像出力端子、
６０…外部インターフェース（Ｉ／Ｆ）、
６１…外部入出力端子、
６５…電源部、
７０…シスコン、
６６…外部電源端子、
６７…電池、
７１…画像処理回路、
７２…圧縮伸長回路、
８０…操作部、
８１…レリーズ、
８５…モード選択スイッチ、
７４…モード表示ＬＣＤ、
７３…ストロボ、
８２…消去／中止スイッチ、
８３…拡大スイッチ、
８４…移動スイッチ、
８６…レックビュー切り替えスイッチ。
【図１】
0004253405.tif 000002
【図２】
0004253405.tif 000003
【図３】
0004253405.tif 000004
【図４】
0004253405.tif 000005
【図５】
0004253405.tif 000006
【図６】
0004253405.tif 000007
【図７】
0004253405.tif 000008
【図８】
0004253405.tif 000009